【事件の表示】
　特願２００３−　３８９６２「水晶振動子を搭載した電子機器とその製造方法」拒絶査定不服審判事件〔平成１５年　９月２６日出願公開、特開２００３−２７３６４９〕について、次のとおり審決する。
【結　論】
　本件審判の請求は、成り立たない。
【理　由】
１．手続きの経緯 
　本願は、平成１５年１月１０日（国内優先権主張、平成１４年１月１１日）の特許出願であって、平成１６年１１月２４日付けで拒絶理由が通知され、平成１７年２月２日付けで手続補正書が提出され、同年１０月６日付けで拒絶査定され、これに対して同年１１月１５日付けで拒絶査定不服審判が請求されるとともに、同日付けで手続補正がされ、その後当審において、平成２０年５月７日付けで前記平成１７年１１月１５日付け手続補正が却下されるとともに、同日付けで拒絶理由が通知され、平成２０年７月７日付けで手続補正がされたものである。
　　
　　　　　               
２．本願発明 
　本願の請求項１に係る発明は、平成２０年７月７日付け手続補正書によって補正された明細書の特許請求の範囲の請求項１に記載された事項により特定される、以下のとおりのものである（以下「本願発明」という）。
　　　　  
「【請求項１】少なくとも表示部と水晶振動子からなる水晶発振器を備えて構成される水晶振動子を搭載した電子機器の製造方法で、前記電子機器は少なくとも二個の水晶発振器を備えて構成され、
少なくとも二個の水晶発振器の内の、一個の第一水晶発振器は、逆相の屈曲モードで振動する音叉型屈曲水晶振動子を備えて構成される水晶発振器で、前記第一水晶発振器はＣＭＯＳインバータと帰還抵抗素子とからなる増幅回路と、前記音叉型屈曲水晶振動子とコンデンサーと抵抗素子とからなる帰還回路とを備えて構成される水晶発振回路を備えて構成され、前記音叉型屈曲水晶振動子は音叉基部と前記音叉基部に接続された第１音叉腕と第２音叉腕を備えた音叉腕とを備えて構成され、かつ、前記第１音叉腕と前記第２音叉腕の各々は上面とそれに対抗する下面と側面とを備えて構成され、前記音叉型屈曲水晶振動子を搭載した電子機器の製造方法であって、
前記音叉基部と前記音叉基部に接続された前記第１音叉腕と前記第２音叉腕を形成するための化学的エッチング工程にて、水晶ウエハを化学的にエッチングする工程と、
前記第１音叉腕と前記第２音叉腕の上面と下面の各面に、各々１個の溝を形成するための化学的エッチング工程にて、前記水晶ウエハを化学的にエッチングする工程と、
前記第１音叉腕の上下面の各面に形成された各々１個の溝の各々に第１電極を配置し、前記第１電極と極性の異なる第２電極を、前記第２音叉腕の上下面の各面に形成された各々１個の溝の各々に配置し、前記第１音叉腕の側面に第３電極を配置し、かつ、第３電極と極性の異なる第４電極を前記第２音叉腕の側面に配置する工程と、を有し、これらの工程は前記工程の順になされると共に、前記第１音叉腕と前記第２音叉腕と前記音叉基部とを備えて構成される前記音叉型屈曲水晶振動子は２電極端子を備えて構成され、前記２電極端子の内１電極端子は、前記第１音叉腕の上下面に形成された各々１個の溝の各々に配置された第１電極と前記第２音叉腕の側面に配置された第４電極から構成され、かつ、第１電極と第４電極とが接続され、他の１電極端子は、前記第１音叉腕の側面に配置された第３電極と前記第２音叉腕の上下面に形成された各々１個の溝の各々に配置された第２電極から構成され、かつ、第３電極と第２電極とが接続され、
前記音叉型屈曲水晶振動子の前記第１音叉腕と前記第２音叉腕の上面と下面の各面に形成された各々１個の溝は、その溝の溝幅Ｗ２と音叉腕幅Ｗとの比（Ｗ２／Ｗ）が、０．３５〜０．９５の範囲内に、かつ、前記溝の厚みｔ１と音叉腕の厚みｔとの比（ｔ１／ｔ）が、０．０１〜０．７９の範囲内にあり、前記音叉型屈曲水晶振動子を備えて前記第一水晶発振器は構成され、その第一水晶発振器の出力信号が電子機器の動作用の基準信号であることを特徴とする水晶振動子を搭載した電子機器の製造方法。」
　　　　
　　　　 　　　
３．引用例
（１）引用例１
　当審で通知した拒絶理由に引用された国際公開第００／４４０９２号パンフレット（以下、「引用例１」という）には、下記の事項が記載されている。
　　　
Ａ．「 第１図は本発明の第１の実施の形態に係る振動子を示す図である。図１は、例として時計用に用いられる３２ＫＨｚの水晶で構成された音叉型の振動子１００の外観を示している。この振動子１００は、通常二本の振動細棒１２０と基部である固定部１３０とから構成されている。
　固定部１３０は、パッケージとの固定や、電極を外部に取り出すためのパッド部分を形成するために設けられている。
　二本の振動細棒１２０は、これらが互いに近づいたり離れたりする方向に振動する。この振動細棒１２０の表面と裏面のいずれかあるいは両方に溝１２０ａを形成する。溝１２０ａの形成方法は、振動子１００の材料を溶解することが可能なエッチング液を用いてフォトリソグラフィーを応用した加工等が用いられる。水晶製の振動子ならば、弗酸系のエッチング液で加工が可能である。」（９頁７行〜１７行）
　
Ｂ．「この音叉型水晶振動子２００は、上述の第１の実施の形態に係る音叉型の振動子１００と同様に、基部である固定部２３０と、この固定部２３０から図においてＹ軸方向に突出するように形成された例えば２本の振動細棒２２０とを有している。また、この２本の振動細棒２２０の第１及び第２の表面には、第３図に示すように溝２２０ａがそれぞれ形成されている。
　このように形成されている第３図に示す音叉型水晶振動子２００には、第４図に示すように第１の電極である電極２４０ａ，第２の電極である電極２４０ｂ，第３の電極である電極２４０ｃが配置されることになる。すなわち、電極を固定部２３０から振動細棒２２０にかけて配置するに際し、電極は振動細棒２２０の側面及び前記第１及び第２の表面には、それぞれ電極２４０ｂ、２４０ａが設けられている。また、電極２４０ａは、振動細棒２２０の溝２２０ａの内部にも設けられている。
　このような電極２４０ａ、２４０ｂは、電極２４０ａ、２４０ｂ間に電界を発生させ、圧電体である振動細棒２２０を振動させるために設けられている。さらに、電極２４０ｃは、振動細棒２２０の二つの側面に形成された第２の電極、すなわち電極２４０ｂ同士を接続するために設けられたものである。」（１１頁３行〜１８行）
　　
Ｃ．「また、第５図に示す振動細棒２２０のＸ軸（審決注：第５図の記載からこの記載は「Ｙ軸」の誤記であると認められる。）方向の長さは、例えば約１．６ｍｍ程度であり、各振動細棒２２０のＸ軸方向の幅は、例えば０．１ｍｍ程度となっている。このような振動細棒２２０の大きさは、第１０図に示す振動細棒１２の寸法である２．４ｍｍ（Ｙ軸方向）、０．２３ｍｍ（Ｘ軸方向）と比べ、著しく小さくなっている。
　一方、この音叉型水晶振動子２００のＺ軸方向である音叉型水晶振動子の厚みは、例えば約０．１ｍｍ程度となっており、これは、従来の音叉型水晶振動子２００の厚みと略同様となっている。しかし、本実施の形態に係る音叉型水晶振動子２００の振動細棒２２０には、上述のように溝２２０ａが形成されており、この溝２２０ａは、振動細棒２２０上においてＹ軸方向に例えば約１．３ｍｍ程度の長さに形成されている。この溝２２０ａのＸ軸方向の幅は、第５図に示すように例えば約０．０７ｍｍ程度であり、そのＺ軸方向の深さは、例えば約０．０２ｍｍ程度となっている。」（１２頁１２行〜２４行）
　
Ｄ．「このような電極２４０ａ、２４０ｂは、図示しない電源に接続されているとともに、これらの電極２４０ａと電極２４０ｂには、それぞれ極性の異なる電圧が交互に印加されるようになっている。そして、例えば電極２４０ａにプラスの電圧を印加し、電極２４０ｂにマイナスの電圧を印加した場合、第１の実施の形態の第２図の矢印のように電界が発生することになる。」（１３頁６行〜１０行）
　
Ｅ．「しかし、本実施の形態では、第８図に示すように溝２２０ａの深さを０．０２ｍｍ（２０μｍ）としたので、ＣＩ値が４２５ＫΩとなり、上述の好適値４００ＫΩに近似した値となるため、ＣＩ値は適正範囲に止まり、携帯電話やＩＣカード等の発振器に使用するのに好適になった。  また、このように溝２２０ａを振動細棒２２０に形成するのは、振動細棒２２０自体の厚さを薄くする場合に比べ、格段に加工性に優れているため、製造される音叉型水晶振動子２００の歩留りが向上することになる。
　なお、本実施の形態においては、加工の容易さ等に鑑み、溝２２０ａの深さを０．０２ｍｍとしたが、第８図の表からも明らかなように溝２２０ａの深さが深い程、ＣＩ値は下がり、少なくとも０．０３５ｍｍの深さの場合は、３３３ＫΩとなった。この場合、少なくとも真空でのＣＩ値は４０ＫΩとなった。」（１４頁１３行〜２３行）
　　
Ｆ．「なお、上述の各実施の形態に係る音叉型の振動子１００及び音叉型水晶振動子２００は、小型の携帯電話やＩＣカードのみならず、他の電子機器であるジャイロ、携帯情報端末、さらに、テレビジョン、ビデオ機器、所謂ラジカセ、パーソナルコンピュータ等の時計内蔵機器及び時計にも用いられることは明らかである。
　以上説明したように本発明によれば、ＣＩ値を低く抑え、且つ加工が容易な小型の振動子とすることができる。
産業上の利用可能性
　このように、本発明は、振動子、例えば音叉型水晶振動子やジャイロセンサー等のような振動子及び振動子を搭載する電子機器として用いるのに適している。」（１５頁１７行〜２６行）
　　　　
Ｇ．図面第４図には、固定部２３０と振動細棒２２０に形成された電極構成が記載されている。具体的には、固定部２３０には２つの電極端子が形成されている点、各振動細棒には第１及び第２の表面の溝内に第１の電極２４０ａ、側面に第２の電極２４０ｂが形成されている点、各振動細棒の２つの側面に形成された第２の電極２４０ｂ同士を接続する電極２４０ｃが形成されている点、固定部２３０の一方の電極端子（手前側の電極端子）から伸びた電極は、一方の振動細棒（手前側の振動細棒）の溝内に形成された電極２４０ａと他方の振動細棒（奥側の振動細棒）の側面に形成された電極２４０ｂに接続され、固定部２３０の他方の電極端子（奥側の電極端子）から伸びた電極は、他方の振動細棒（奥側の振動細棒）の溝内に形成された電極２４０ａに接続されている点が記載されている。
　　　
　上記Ｃには、第５図の振動細棒のサイズが、幅０．１ｍｍ、溝幅０．０７ｍｍ、厚み０．１ｍｍ、溝の深さ０．０２ｍｍであることが記載されているので、引用例１の第５図の振動細棒は、溝幅と振動細棒幅の比が０．７、かつ、溝の厚みと振動細棒の厚みとの比が０．６であると解される。
　上記Ｅには、音叉型水晶振動子を発振器に使用することが記載されているので、引用例１に記載された音叉型水晶振動子は水晶発振器に用いられるものであることは明らかである。
　上記Ｆには、音叉型水晶振動子が携帯電話や携帯情報端末等の表示部を備えた電子機器に搭載されることが記載されているので、引用例１に記載された音叉型水晶振動子は表示部を備えた電子機器に搭載されるものであると解される。
　
　よって、上記Ｂ乃至Ｆ及び図面の記載から、引用例１には、
「表示部と音叉型水晶振動子２００からなる水晶発振器を備えて構成される音叉型水晶振動子２００を搭載した電子機器であって、
前記音叉型水晶振動子２００は、固定部２３０と前記固定部２３０に接続された２つの振動細棒２２０を備え、かつ、前記２つの振動細棒２２０の各々は第１の表面とそれに対抗する第２の表面と側面とを備え、
　前記２つの振動細棒の第１及び第２の表面には各々１個の溝が形成され、
　前記固定部２３０には２つの電極端子が形成され、前記２つの振動細棒の第１及び第２の表面の溝内に第１の電極２４０ａが形成され、側面に第２の電極２４０ｂが形成され、各振動細棒の２つの側面に形成された前記第２の電極２４０ｂ同士を接続する第３の電極２４０ｃが形成され、
　前記固定部２３０の一方の電極端子から伸びた電極は、前記２つの振動細棒のうちの一方の振動細棒の溝内に形成された前記第１の電極２４０ａと前記２つの振動細棒のうちの他方の振動細棒の側面に形成された前記第２の電極２４０ｂに接続し、前記固定部２３０の他方の電極端子から伸びた電極は、前記他方の振動細棒の溝内に形成された前記第１の電極２４０ａに接続するように形成され、
　前記２つの振動細棒のそれぞれには、前記第１の電極２４０ａと前記第２の電極２４０ｂにそれぞれ極性の異なる電圧が交互に印加され、
　前記音叉型水晶振動子の前記２つの振動細棒の第１及び第２の表面に形成された各々１個の溝は、その溝の溝幅と振動細棒幅との比が、０．７、かつ、前記溝の厚みと振動細棒の厚みとの比が、０．６に形成された、
前記音叉型水晶振動子２００を搭載した電子機器」
の発明（以下、「引用発明」という）が記載されている。
　
（２）引用例２
　当審で通知した拒絶理由に引用された特開昭５６−６５５１７号公報（以下、「引用例２」という）には、下記の事項が記載されている。
　　
Ｈ．「１つの構成方法では、単独の溝が各歯上に設けられる。溝の寸法は、その側面が可能な限り歯の横側面に近くなるように決められる。即ち振動子の必要な機構的強度を維持し、その製造技術上許される範囲において近づくよう、位置決めされる。同様に、この溝は可能な限り深いほうが、結果は良い。」（公報第３頁左上欄７行〜１３行）
　
Ｉ．「振動子の両方の主表面に溝を作るためには、エッチング処理に補足的工程が追加される。ふつ化水素酸によるエッチングは、溝を設けるべき位置に全くスロットを有していない振動子外形形状を持つ金属保護層を用いて開始される。このエッチングは水晶が振動子の外形から十分に取り除かれる前に中止され、次に溝の設けられる位置に相当する金属層にスロットが作られる。ふつ化水素酸によるエッチングが再び開始され、水晶が完全に振動子形状にエッチされるまで継続される。必要な溝は、金属層に作られたスロットに応じて同時に形成され、これらの深さはふつ化水素酸による２回目のエッチング期間の長さによってきめられる。」（公報第３頁右下欄１０行〜第４頁左上欄３行）
　　
  　　
４．対比 
（１）本願発明と引用発明との対応関係について
　
（１−１）引用発明の「固定部２３０」、「第１の振動細棒」、「第２の振動細棒」、「第１の表面」、「第２の表面」は、それぞれ本願発明の「音叉基部」、「第１音叉腕」、「第２音叉腕」、「上面」、「下面」に相当する。
　
（１−２）引用例１の図面第４図の記載では、音叉型水晶振動子２００の第１の表面側しか記載されていないため、固定部２３０の他方の電極端子（奥側の電極端子）から伸びた電極が、一方の振動細棒（手前側の振動細棒）の側面に形成された電極２４０ｂに接続されているかは不明である。しかしながら、引用発明は「２つの振動細棒のそれぞれには、前記第１の電極２４０ａと前記第２の電極２４０ｂにそれぞれ極性の異なる電圧が交互に印加され」る構成であるから、各振動細棒では第１及び第２の表面の溝内に形成された第１の電極２４０ａと側面に形成された第２の電極２４０ｂは、極性の異なる電圧が交互に印加されるものであることを考慮して図面第４図を参照すると、他方の振動細棒（奥側の振動細棒）の溝内に形成された電極２４０ａは固定部２３０の他方の電極端子（奥側の電極端子）に接続され、側面に形成された電極２４０ｂは固定部２３０の一方の電極端子（手前側の電極端子）に接続されているので、固定部２３０の一方の電極端子（手前側の電極端子）と他方の電極端子（奥側の電極端子）には、極性の異なる電圧が交互に印加されるものであることは明らかである。そして、一方の振動細棒（手前側の振動細棒）おいては、同様に溝内の第１の電極２４０ａと側面の第２の電極２４０ｂには極性の異なる電圧が交互に印加されるものであり、かつ、溝内の第１の電極２４０ａは固定部２３０の一方の電極端子（手前側の電極端子）に接続されていることから、一方の振動細棒（手前側の振動細棒）に形成された側面の第２の電極２４０ｂには固定部２３０の他方の電極端子（奥側の電極端子）が接続されていると解するのが自然である。してみると、引用発明では、固定部２３０の一方の電極端子は、２つの振動細棒のうちの一方の振動細棒の溝内に形成された第１の電極２４０ａと２つの振動細棒のうちの他方の振動細棒の側面に形成された第２の電極２４０ｂに接続され、固定部２３０の他方の電極端子は、他方の振動細棒の溝内に形成された第１の電極２４０ａと一方の振動細棒の側面に形成された第２の電極２４０ｂに接続されている構成であるから、引用発明においても本願発明の「前記第１音叉腕と前記第２音叉腕と前記音叉基部とを備えて構成される前記音叉型屈曲水晶振動子は２電極端子を備えて構成され、前記２電極端子の内１電極端子は、前記第１音叉腕の上下面に形成された各々１個の溝の各々に配置された第１電極と前記第２音叉腕の側面に配置された第４電極から構成され、かつ、第１電極と第４電極とが接続され、他の１電極端子は、前記第１音叉腕の側面に配置された第３電極と前記第２音叉腕の上下面に形成された各々１個の溝の各々に配置された第２電極から構成され、かつ、第３電極と第２電極とが接続され、」の電極構成を備えている。
　
（１−３）上記（１−２）に記載したように、引用発明では「固定部２３０の一方の電極端子は、２つの振動細棒のうちの一方の振動細棒の溝内に形成された第１の電極２４０ａと２つの振動細棒のうちの他方の振動細棒の側面に形成された第２の電極２４０ｂに接続され、固定部２３０の他方の電極端子は、他方の振動細棒の溝内に形成された第１の電極２４０ａと一方の振動細棒の側面に形成された第２の電極２４０ｂに接続されている構成」となっており、かつ、引用発明の各振動細棒の溝に形成された電極と側面に形成された電極に極性の異なる電圧が交互に印加されるものであるから、引用発明の「音叉型水晶振動子」は上記Ａに記載されているように「二本の振動細棒１２０は、これらが互いに近づいたり離れたりする方向に振動する」という逆相の屈曲振動を行うものと解されるので、引用発明の「音叉型水晶振動子」は本願発明の「逆相の屈曲モードで振動する音叉型屈曲水晶振動子」に相当する。
　
（１−４）引用発明の溝の溝幅と振動細棒幅との比である「０．７」は、本願発明で限定している「０．３５〜０．９５」の範囲内となっており、かつ、引用発明の溝の厚みと振動細棒の厚みとの比である「０．６」は、本願発明で限定している「０．０１〜０．７９」の範囲内となっていることから、本願発明と引用発明は、「前記音叉型屈曲水晶振動子の前記第１音叉腕と前記第２音叉腕の上面と下面の各面に形成された各々１個の溝は、その溝の溝幅Ｗ２と音叉腕幅Ｗとの比（Ｗ２／Ｗ）が０．７、かつ、前記溝の厚みｔ１と音叉腕の厚みｔとの比（ｔ１／ｔ）が０．６」である点で共通している。
　　　
（２）本願発明と引用発明の一致点について
　上記の対応関係から、本願発明と引用発明は、
「少なくとも表示部と水晶振動子からなる水晶発振器を備えて構成される水晶振動子を搭載した電子機器で、
　水晶発振器は、逆相の屈曲モードで振動する音叉型屈曲水晶振動子を備えて構成される水晶発振器で、前記音叉型屈曲水晶振動子は音叉基部と前記音叉基部に接続された第１音叉腕と第２音叉腕を備えた音叉腕とを備えて構成され、かつ、前記第１音叉腕と前記第２音叉腕の各々は上面とそれに対抗する下面と側面とを備えて構成され、前記音叉型屈曲水晶振動子を搭載した電子機器であって、
　前記第１音叉腕と前記第２音叉腕と前記音叉基部とを備えて構成される前記音叉型屈曲水晶振動子は２電極端子を備えて構成され、前記２電極端子の内１電極端子は、前記第１音叉腕の上下面に形成された各々１個の溝の各々に配置された第１電極と前記第２音叉腕の側面に配置された第４電極から構成され、かつ、第１電極と第４電極とが接続され、他の１電極端子は、前記第１音叉腕の側面に配置された第３電極と前記第２音叉腕の上下面に形成された各々１個の溝の各々に配置された第２電極から構成され、かつ、第３電極と第２電極とが接続され、
　前記音叉型屈曲水晶振動子の前記第１音叉腕と前記第２音叉腕の上面と下面の各面に形成された各々１個の溝は、その溝の溝幅Ｗ２と音叉腕幅Ｗとの比（Ｗ２／Ｗ）が０．７、かつ、前記溝の厚みｔ１と音叉腕の厚みｔとの比（ｔ１／ｔ）が０．６であり、前記音叉型屈曲水晶振動子を備えて前記水晶発振器は構成したことを特徴とする水晶振動子を搭載した電子機器」
の点で一致している。
　　　　　
（３）本願発明と引用発明の相違点について
　本願発明は下記の点で引用発明と相違する。
　
（３−１）相違点Ａ
　本願発明の「電子機器」は、「少なくとも二個の水晶発振器を備えて構成され」ているのに対し、引用発明は「逆相の屈曲モードで振動する音叉型屈曲水晶振動子を備えて構成される水晶発振器」しか備えていない点。
　　
（３−２）相違点Ｂ
　本願発明の逆相の屈曲モードで振動する音叉型屈曲水晶振動子を備えた「第一水晶発振器」は、「ＣＭＯＳインバータと帰還抵抗素子とからなる増幅回路と、前記音叉型屈曲水晶振動子とコンデンサーと抵抗素子とからなる帰還回路とを備えて構成される水晶発振回路を備え」ているのに対し、引用例１には水晶発振器の具体的な構成が記載されていないため、引用発明の水晶発振器の構成が不明である点。
　
（３−３）相違点Ｃ
　本願発明は、「前記音叉基部と前記音叉基部に接続された前記第１音叉腕と前記第２音叉腕を形成するための化学的エッチング工程にて、水晶ウエハを化学的にエッチングする工程と、
前記第１音叉腕と前記第２音叉腕の上面と下面の各面に、各々１個の溝を形成するための化学的エッチング工程にて、前記水晶ウエハを化学的にエッチングする工程と、
前記第１音叉腕の上下面の各面に形成された各々１個の溝の各々に第１電極を配置し、前記第１電極と極性の異なる第２電極を、前記第２音叉腕の上下面の各面に形成された各々１個の溝の各々に配置し、前記第１音叉腕の側面に第３電極を配置し、かつ、第３電極と極性の異なる第４電極を前記第２音叉腕の側面に配置する工程」を有し、「これらの工程は前記工程の順になされる」電子機器の製造方法であるのに対し、引用発明は製造方法の発明ではない点。
　
（３−４）相違点Ｄ
　本願発明では、溝の溝幅Ｗ２と音叉腕幅Ｗとの比（Ｗ２／Ｗ）、及び、溝の厚みｔ１と音叉腕の厚みｔとの比（ｔ１／ｔ）を、それぞれ「０．３５〜０．９５の範囲内」、及び、「０．０１〜０．７９の範囲内」としているのに対し、引用発明ではそれらの範囲内の１つの数値が開示されているにすぎない点。
　
（３−５）相違点Ｅ
　本願発明は「第一水晶発振器の出力信号が電子機器の動作用の基準信号である」とされているのに対し、引用例１には水晶発振器の出力信号が電子機器の動作用の基準信号であることは記載されていないため、引用発明では水晶発振器の用途が不明である点。
　
　　　　
５．当審の判断 
（１）相違点Ａについて
　本願発明の「電子機器」の具体例として本願明細書の段落８に、
「本実施例では、電子機器の一例としてファクシミリを示したが、本発明の電子機器には水晶発振器を具えて構成される機器はすべて包含される。例えば、携帯電話、電話、テレビ、カメラ、ビデオ、ビデオカメラ、ページャ、パーソナルコンピュータ、プリンタ、ＣＤプレーヤ、ＭＤプレーヤ、電子楽器、カーナビゲィション、カーエレクトロニクス、時計、ＩＣカード等である。」
と記載されている。そして、これらの電子機器では、目的に応じた様々なクロック信号が利用されており、そのために複数の水晶発振器を内蔵することは、例えば、当審で通知した拒絶理由に引用された特開平０７−３１１２８９号公報の図３に、携帯電話機が温度補償型水晶発振器（ＴＣＸＯ）１と時計用水晶発振器４の二個の水晶発振器を備えた構成が記載されているように周知な構成である。
　また、上記Ｆには引用発明の電子機器が携帯電話や携帯情報端末等であることが記載されていることから、引用発明の電子機器において、「少なくとも二個の水晶発振器を備えて構成され」るようにすることは、格別なものではない。
　　　
（２）相違点Ｂについて
　水晶発振器の分野では、水晶発振器として「ＣＭＯＳインバータと帰還抵抗素子とからなる増幅回路と、前記音叉型屈曲水晶振動子とコンデンサーと抵抗素子とからなる帰還回路とを備えて構成される水晶発振回路」を備えた構成とすることは、引用文献を示すまでもなく周知な構成である。
　よって、引用発明の電子機器において、音叉型水晶振動子２００からなる水晶発振器を相違点Ｂの「ＣＭＯＳインバータと帰還抵抗素子とからなる増幅回路と、前記音叉型屈曲水晶振動子とコンデンサーと抵抗素子とからなる帰還回路とを備えて構成される水晶発振回路」を備えた構成とすることは、当業者ならば容易に想到し得たものである。
　　
（３）相違点Ｃについて
　音叉型振動子において溝を形成する方法について、引用例１の上記Ａに、
「この振動細棒１２０の表面と裏面のいずれかあるいは両方に溝１２０ａを形成する。溝１２０ａの形成方法は、振動子１００の材料を溶解することが可能なエッチング液を用いてフォトリソグラフィーを応用した加工等が用いられる。水晶製の振動子ならば、弗酸系のエッチング液で加工が可能」
と記載されているように、既に振動細棒が形成された状態の振動子に対して化学的にエッチングを施すことにより溝を形成することが開示されている。
　また、引用例２の上記Ｉには、チューニングフォーク（音叉）形状の振動子に溝を形成する方法として、
「振動子の両方の主表面に溝を作るためには、エッチング処理に補足的工程が追加される。ふつ化水素酸によるエッチングは、溝を設けるべき位置に全くスロットを有していない振動子外形を持つ金属保護層を用いて開始される。このエッチングは水晶が振動子の外形から十分に取り除かれる前に中止され、次に溝の設けられる位置に相当する金属層にスロットが作られる。ふつ化水素酸によるエッチングが再び開始され、水晶が完全に振動子形状にエッチされるまで継続される。必要な溝は、金属層に作られたスロットに応じて同時に形成され、これらの深さはふつ化水素酸による２回目のエッチング期間の長さによって決められる。」
が記載されていることから、引用例２には化学的にエッチングを施すことにより溝だけでなく音叉形状も形成できることが開示されている。
　そして、音叉形状が形成された後でなければ電極は形成できないものであり、また、溝が設けられた音叉型水晶振動子では、溝の形成の終了後に全ての電極を形成するに工程を組むことは、製造上から普通に考えられることであると認められる。
　してみると、引用発明は電子機器の製造方法に係る発明ではないが、引用例１及び引用例２には音叉型水晶振動子を製造するために上記の化学的にエッチングを施すことが記載されているので、引用発明の電子機器を製造する場合、振動細棒を化学的にエッチングを施すことにより形成し、次に、各振動細棒の上下面に設ける溝を化学的にエッチングを施すことにより形成し、次に、各振動細棒の溝と側面に電極を形成することで、相違点Ｃである「前記音叉基部と前記音叉基部に接続された前記第１音叉腕と前記第２音叉腕を形成するための化学的エッチング工程にて、水晶ウエハを化学的にエッチングする工程と、
前記第１音叉腕と前記第２音叉腕の上面と下面の各面に、各々１個の溝を形成するための化学的エッチング工程にて、前記水晶ウエハを化学的にエッチングする工程と、
前記第１音叉腕の上下面の各面に形成された各々１個の溝の各々に第１電極を配置し、前記第１電極と極性の異なる第２電極を、前記第２音叉腕の上下面の各面に形成された各々１個の溝の各々に配置し、前記第１音叉腕の側面に第３電極を配置し、かつ、第３電極と極性の異なる第４電極を前記第２音叉腕の側面に配置する工程」を有し、「これらの工程は前記工程の順になされる」ようにすることは、当業者ならば容易に想到し得たものである。
　
（４）相違点Ｄについて
　引用発明においても、溝の溝幅と振動細棒幅との比である「０．７」は、本願発明で限定している「０．３５〜０．９５」の範囲内となっており、かつ、溝の厚みと振動細棒の厚みとの比である「０．６」は、本願発明で限定している「０．０１〜０．７９」の範囲内となっている。
　また、引用例２の上記Ｈには、溝の寸法を機構的強度を維持し製造技術上許される範囲において溝幅を可能な限り広くし、溝の深さを可能な限り深くすることが記載されている。
　一方、本願発明の溝の溝幅Ｗ２と音叉腕幅Ｗとの比（Ｗ２／Ｗ）を０．３５〜０．９５、溝の厚みｔ１と音叉腕の厚みｔとの比（ｔ１／ｔ）を０．０１〜０．７９の数値範囲とすることは、本願の発明の詳細な説明に一実施例として記載されているが、当該数値範囲を採用することの具体的根拠については何ら記載がなく、当該数値範囲について臨界的な意義も認められない。
　してみると、音叉型屈曲水晶振動子に対して溝を設ける場合、機構的強度及び製造技術上の許容範囲を考慮して、溝の溝幅と振動細棒の幅の比及び溝の厚みと振動細棒の厚みとの比をどのような比とするかは設計的事項であり、溝の溝幅と振動細棒の幅の比を０．３５〜０．９５、溝の厚みと振動細棒の厚みとの比を０．０１〜０．７９の数値範囲とすることは、当業者ならば容易になし得たものである。
　　　
（５）相違点Ｅについて
　音叉型振動子を用いた水晶発振器の出力信号を電子機器の駆動に必要なクロックとして用いることは、例えば特開昭６２−０６３３７９号公報に、
「ＣＰＵ１４とインターフェイスＬＳＩ１７にはそれぞれ発振回路を持ち、駆動に必要なクロックを発生している。　・・・（中略）・・・　一方インターフェイスＬＳＩ１７は常時発振している。これには、３８．４ＫＨｚの安価な音叉型水晶振動子が使用されている。」（公報第４頁左上欄３行〜１１行）
と記載されているように周知な構成であるから、引用発明の電子機器において、電子機器に内蔵されたＬＳＩ等に利用される駆動用クロックに音叉型水晶振動子２００からなる水晶発振器の出力信号を利用することで、相違点Ｅの「第一水晶発振器の出力信号が電子機器の動作用の基準信号である」とすることは、当業者ならば容易に想到し得たものである。
　
（６）本願発明の作用効果について　　　
　また、本願発明の作用効果も、引用例１及び２に記載された事項及び上記周知な技術から当業者が予測できる範囲のものである。　
　
　
６．むすび 
　以上のとおり、本願発明は、当業者が上記引用発明、引用例２に記載された事項及び上記周知な技術に基いて容易に発明することができたものであるから、特許法第２９条第２項の規定により特許を受けることができない。 
　したがって、本願は、他の請求項について、検討するまでもなく拒絶されるべきものである。 
　よって、結論のとおり審決する。